【事件の表示】
　特許第３２１３０３３号「弾球遊技機の玉タンク装置」の請求項１ないし３に係る特許に対する特許異議の申立てについて、次のとおり決定する。
【結　論】
　訂正を認める。
　特許第３２１３０３３号の請求項１ないし３に係る特許を取り消す。
【理　由】
１．手続の経緯
　本件特許第３２１３０３３号の請求項１乃至３に係る発明は、平成３年１１月２３日に特許出願され、平成１３年７月１９日にその発明について特許の設定登録がなされ、その後、その特許について鈴村　弘より特許異議の申立てがなされ、取消理由が通知され、その指定期間内である平成１４年８月１９日に特許異議意見書及び訂正請求書が提出された後審尋がなされ、審尋に対する回答書が平成１４年１０月８日に提出されたものである。
　
２．訂正請求について
２-1．訂正の内容
　特許権者が求めている訂正の内容は、以下訂正事項(ａ)ないし(ｅ)のとおりである。
　訂正事項(ａ)
　願書に添付した明細書（以下、「特許明細書」という。）の特許請求の範囲の請求項１に記載された「該玉タンク装置は、前記弾球遊技機の玉排出口に臨む玉タンク部と、該玉タンク部から流出する玉を整列しながら流下させる玉整列レール部材と、該玉整列レール部材の下流側に玉計数器が取り付けられる支持板と、前記玉タンク部を係合支持し且つ前記設置島台に固着される取付ベース部と、から構成され、」を、「該玉タンク装置は、前記弾球遊技機の玉排出口に臨
み且つその底面にゴム底敷が載置される
　訂正事項(ｂ)
　特許明細書の特許請求の範囲の「【請求項２】　前記支持板に取り付けられる玉計数器から延びる配線を係止するための配線引き回し部材を備えたことを特徴とする請求項１記載の弾球遊技機の玉タンク装置。」を、「【請求項２】　前記支持板に取り付けられる玉計数器から延びる配線を係止するための配線引き回し部材を
前記支持板の前記玉整列レール部材の下方内側であって前記玉計数器と反対側の後方下部に
　訂正事項(ｃ)
　特許明細書における段落【０００４】を、
　「【課題を解決するための手段】
　弾球遊技機から排出された玉を受け入れて計数した後に設置島台内部の回収樋に返却する玉タンク装置において、
　該玉タンク装置は、前記弾球遊技機の玉排出口に臨
み且つその底面にゴム底敷が載置される
　前記玉タンク部に形成される係合部と前記取付ベース部に形成され且つ前記係合部と係合する被係合部との係合位置を変更可能に構成する一方、前記支持板には、前記玉計数器を着脱自在に取り付けるための係止弾性爪を備えたことを特徴とするものである。」と訂正する。
　訂正事項(ｄ)
　特許明細書における段落【０００５】を、
　「【作用】
　玉タンク部の係合部と取付ベース部の被係合部との係合位置が変更可能に構成されているので、弾球遊技機の玉排出口に適合した位置に玉タンク部を対応させた後、玉タンク部の係合部を取付ベースの被係合部に係合する。これによって、玉排出口の形成される位置が異なる弾球遊技機における排出玉に対する玉タンク部の最適な排出位置を簡単に得ることができる。また、支持板には、玉計数器を着脱自在に取り付けるための係止弾性爪を備えているので、故障した玉計数器の交換を簡単に行うことができる。
更に、玉タンク部の底面にゴム底敷を載置したので、玉タンク部に落下する玉の衝撃を和らげると共に、騒音を小さくすることができる。
　訂正事項(ｅ)
　特許明細書における段落【００３１】を、
　「【発明の効果】
　以上、説明したところから明らかなように、本発明においては、弾球遊技機の玉排出口に臨
み且つその底面にゴム底敷が載置される
更に、玉タンク部の底面にゴム底敷を載置したので、玉タンク部に落下する玉の衝撃を和らげると共に、騒音を小さくすることができる。
２-2．訂正の適否
　訂正事項(ａ)によれば、「前記弾球遊技機の玉排出口に臨む玉タンク部と、」を「前記弾球遊技機の玉排出口に臨み且つその底面にゴム底敷が載置される玉タンク部と、」と訂正する訂正事項（以下、「前者の訂正事項」という。）、及び「配線引き回し部材を備えた」を「配線引き回し部材を前記支持板の前記玉整列レール部材の下方内側であって前記玉計数器と反対側の後方下部に備えた」と訂正する訂正事項（以下、「後者の訂正事項」という。）を含むものである。
　そこで先ず「前者の訂正事項」についてみると、玉排出口に臨む玉タンク部の構成を限定するものであって特許請求の範囲の減縮を目的とするものと認められる。そして「前者の訂正事項」に関連して特許明細書の段落【００１８】には、「玉タンク部４１は、上面が開放したボックス状に形成され、そのボックス状の凹部が貯留部４３となっている。貯留部４３の底面には、アウト玉排出口３１及び合流玉排出口３２から落下する玉の衝撃を和らげると共に、騒音を小さくするためにゴム底敷４４が載置されている。」と記載され、特許明細書には、「前者の訂正事項」が明確に記載されている。したがって、「前者の訂正事項」は、願書に添付した明細書または図面に記載した事項の範囲内の訂正であって、新規事項の追加に該当せず、また実質上特許請求の範囲を拡張し、又は変更するものではない。
　次いで「後者の訂正事項」についてみると、配線引き回し部材を備えた位置をより限定するものであって、特許請求の範囲の減縮を目的とするものである。そして「後者の訂正事項」に関連して特許明細書の段落【００２６】には、「玉計数器５９から引き出される配線６１は、支持板５８の後方下部に設けられる配線引き回し部材６７に係止されるようになっている。」と記載され、該記載を【図１】ないし【図４】の記載を参酌してみると、特許明細書または図面には上記「後者の訂正事項」が記載されているものと認められる。したがって、「後者の訂正事項」は、願書に添付した明細書または図面に記載した事項の範囲内の訂正であって、新規事項の追加に該当せず、また実質上特許請求の範囲を拡張し、又は変更するものではない。
　さらに訂正事項(ｃ)ないし訂正事項(ｅ)は、上記特許請求の範囲を訂正することに伴い発明の詳細な説明の項を同様に訂正するものであって、明りょうでない記載の釈明を目的とし、新規事項の追加に該当せず、また実質上特許請求の範囲を拡張し、又は変更するものではない。
２-3．むすび
　以上のとおりであるから、上記訂正は、特許法等の一部を改正する法律（平成６年法律第１１６号。以下「平成６年改正法」という。）附則第６条第１項の規定によりなお従前の例によるとされる、特許法第１２０条の４第３項において準用する平成６年改正法による改正前の特許法第１２６条第１項ただし書、第２項及び第３項の規定に適合するので、当該訂正を認める。
　
３．特許異議の申立てについて
３-1．本件発明
　上記２．に示したように上記訂正が認められるから、本件の請求項１ないし３に係る発明（以下、順に「本件発明１」、「本件発明２」、「本件発明３」という。）は、上記訂正に係る訂正明細書の特許請求の範囲の請求項１ないし３に記載された次のとおりのものである。
「【請求項１】　弾球遊技機から排出された玉を受け入れて計数した後に設置島台内部の回収樋に返却する玉タンク装置において、
　該玉タンク装置は、前記弾球遊技機の玉排出口に臨み且つその底面にゴム底敷が載置される玉タンク部と、該玉タンク部から流出する玉を整列しながら流下させる玉整列レール部材と、該玉整列レール部材の下流側に玉計数器が取り付けられる支持板と、前記玉タンク部を係合支持し且つ前記設置島台に固着される取付ベース部と、から構成され、
　前記玉タンク部に形成される係合部と前記取付ベース部に形成され且つ前記係合部と係合する被係合部との係合位置を変更可能に構成する一方、前記支持板には、前記玉計数器を着脱自在に取り付けるための係止弾性爪を備えたことを特徴とする弾球遊技機の玉タンク装置。
　【請求項２】　前記支持板に取り付けられる玉計数器から延びる配線を係止するための配線引き回し部材を前記支持板の前記玉整列レール部材の下方内側であって前記玉計数器と反対側の後方下部に備えたことを特徴とする請求項１記載の弾球遊技機の玉タンク装置。
　【請求項３】　前記玉整列レール部材には、内部に入った塵等を排出するための切欠部が形成されていることを特徴とする請求項１又は請求項２に記載の弾球遊技機の玉タンク装置。」
３-2．引用刊行物記載の発明
（ａ）取消理由で引用した、本件特許の出願前に頒布された刊行物である実願昭５９−８３１３号（実開昭６０−１２２１８２号）のマイクロフィルム（以下、「引用刊行物１」という、特許異議申立人が提出した甲第２号証）には、
（ａ-1）「本考案はパチンコホールの島台に設置し、パチンコ機からの排出球を受入れて計数しながら島台下方の集合樋に導くためのアウトタンクに関し、特に基台を島台に固定したまま球受けケースの位置だけを簡単に移動できるようにしたアウトタンクに関する。」（明細書２頁３〜８行）こと、
（ａ-2）「その目的とするところは支持基板を島台に固定したまま球受けケースの位置だけを上下左右に変位することによりどの型のパチンコ機にも適合し、しかも球受ケースを小形化して他の部品の設置スペースを確保できるようにしたアウトタンクを提供するものである。」（同３頁１３〜１８行）こと、
（ａ-3）「第一図に示すように、パチンコホールの島台１に並列配置した各パチンコ機２の裏側に垂下するアウト球、セーフ球排出樋３の下方にはそれぞれアウトタンク４がパチンコ機１とは別体に島台１上に固定され、パチンコ機２の排出樋３から落下するパチンコ球を受け入れ、計数メータ５で積算しながら島台１下方の集合樋６へ導くようになっている。
　このように配設されるパチンコ機のアウトタンクにおいて、本考案の特徴は、第２図に示すように島台に固定される基板７の上方に複数の中空係合孔８を一体的に形成したタンク支持部材４ａとパチンコ機排出樋３からの落下球を受ける球受ケース９の下方にタンク支持部材４ａの係合孔８に嵌合される少なくとも一本の支持脚１０を一体形成したタンク本体４ｂとからなる分割された二部材によってアウトタンク４を構成し、タンク本体４ｂの支持脚１０を支持部材４ａの係合孔８に着脱自在に嵌合することにより、基板７を固定したまま球受ケース９の位置を変え得るようにしたものである。」（同４頁１行〜５頁１行）こと、
（ａ-4）「球受ケース９には一端が、ケース内部に連通し、他端に球の落下口を有する導出路１２が一体形成されているとともに、球落下口の下方にパチンコ機のアウト球計数メータ５を取付けてある。」（同５頁１３〜１７行）こと、
（ａ-5）「以上のように本考案のアウトタンクは島台に固定する支持部材と球を受けるタンク本体４ｂが着脱自在の二つの部材から成り、且つ支持部材に位置の異なる複数係合孔が設けられているので、支持部材を島台に固定したまま係合部を変えるだけで球受ケース９の位置を左右、前後、上下に移動することができる。
　従って、パチンコ機の機種を入れ変える場合にも全く支障なく継続使用ができる。又、支持脚を引き抜いて別の位置に嵌め変えるだけで良いのでケースの位置変更の手間が著しく軽減される。」（同７頁４〜１４行）こと、が記載されている。
　これらの記載事項及び図面の記載からみると、引用刊行物１には、
　パチンコ機２の排出樋３から排出されたパチンコ球を受け入れ計数メータ５で計数した後島台１内部の集合樋６に返却するアウトタンク４において、
　該アウトタンク４は、前記パチンコ機２の球排出口に臨むタンク本体４ｂと、該タンク本体４ｂから流出する球を整列しながら流下させる導出路１２と、該導出路１２の下流側に計数メータ５が取り付けられる部材と、前記タンク本体４ｂを係合支持し且つ前記島台１に固着されるタンク支持部材４ａと、から構成され、
　前記タンク本体４ｂに形成された支持脚１０と前記タンク支持部材４ａに形成され前記支持脚１０と係合する係合孔８（中空係合孔８）を複数設けて支持脚１０と係合孔８（中空係合孔８）の係合位置を変更可能に構成したパチンコ機のアウトタンクが記載されていると認められる。
（ｂ）同じく取消理由で引用した、本件特許の出願前に頒布された刊行物である実公昭５２−４６２０５号公報（以下、「引用刊行物２」という、特許異議申立人が提出した甲第３号証）には、
（ｂ-1）「その構成を実施例図に基ずき説明すると、基板１の後面側にはパチンコ機Ｐから排出されるアウト球を受入れる球受皿２を設け、前面側にはこの球受皿２と開口部３で連通する流出樋４を設けた計数装置本体Ａを合成樹脂の一体成形で形成するに当り、前記流出樋４の先端流出口５の下部に位置する基板１へ、球検出器Ｂの球流路６が前記流出口５と連なる位置で側面が接当衝止されるように後面側に膨出する凹段面７を設け、この凹段面７には前端を互いに内方向へ折曲して支持片８，８を設けた係止枠９，９を、球検出器Ｂが横方向へ摺動自在に嵌挿され且挟持されるように上下相対向して突設し、さらにこの係止枠９，９の上下ほぼ中間に位置する凹段面７へコ字状の切溝１０を周設して弾性帯板１１を形成すると共にこの弾性帯片１１の先部へ球検出器Ｂを装着した際に他側面を圧接係止するよう止片１２を一体に突設して構成する。」（第２欄９〜２６行）こと、
（ｂ-2）「そして計数装置本体Ａへ球検出器Ｂを装着するに当り、球検出器Ｂが凹段面７に密接するように背部で弾性帯板１１の止片１２を強制的に後方へ押圧し乍ら係止枠９，９間に挟入し嵌挿する。この際に球検出器Ｂの一方側の側面が凹段面７の段部に接当衝止すると球検出器Ｂの球流路６が計数装置本体Ａの流出口５と連通し、同時に背部で押圧されていた弾性帯板１１の止片１２が押圧から釈放されて旧の状態に復元し球検出器Ｂの他方側の側面を圧接するために球検出器Ｂは係止枠９，９間に嵌挿された状態で強固に装着される。又球検出器Ｂを取外す際には指で止片１２を後方へ押圧し乍ら球検出器Ｂを横方向へ摺動すれば簡単に取外すことができる。」（第２欄３５行〜第３欄１１行）こと、
（ｂ-3）「しかもビス止め等の工具を用いた固定作業を一切必要とせず簡単な操作で球検出器がセットできるために打込球計数装置の設置個所が狭くても容易に球検出器の交換を行うとができる」（第４欄１〜４行）こと、が記載されている。
　これら記載事項及び図面の記載からみて、引用刊行物２には、
　パチンコ機Ｐから排出されたアウト球を受け入れ計数した後設置島台内部に回収するパチンコ機の打込球計数装置において、
　パチンコ機の打込球計数装置は、前記パチンコ機Ｐのアウト球排出筒１５に臨む球受皿２と、該球受皿２の開口部３から流出する球を整列しながら流下させる流出樋４と、該流出樋４の下流側に球検出器Ｂが取り付けられる基板１と、前記球受皿２を支持し且つ設置島台に固着される取付部（基板１及び取付脚片１３等）と、から構成し、
　前記基板１には、球検出器Ｂの球流路６が流出樋４の流出口５と連なる位置で球検出器Ｂの側面が接当衝止するように後面側に膨出する凹段面７を設け、この凹段面７には、球検出器Ｂを横方向へ摺動自在に嵌挿され且つ挟持される上下一対の係止枠９，９とコ字状の切溝１０を周設して形成され且つ球検出器Ｂを装着した際に他側面を圧接係止する止片１２を一体に突設した弾性帯板１１とを備えたパチンコ機の打込球計数装置が記載されていると認められる。
（ｃ）同じく取消理由で引用した、本件特許の出願前に頒布された刊行物である特開平３−４１９８６号公報（以下、「引用刊行物３」という、特許異議申立人が提出した甲第４号証）には、
（ｃ-1）「そしてこの中継基板７０と前記した各入力装置および出力装置とを結ぶ配線を集束処理するために入賞玉集合カバー部材４０の上方外周縁に配線処理壁５４、５５、配線処理突起５６が図示手前側に向って突設（ただし配線処理壁５５は図示奥側に向って突設）されて配線収納溝５７が形成されている。この配線収納溝５７内に配線が収納された後、該配線が飛び出さないように係止突起５８が突設されている。」（４頁左上欄４〜１３行）こと、
（ｃ-2）「また配線処理部材の他の例として本実施例では入賞玉集合カバー部材４０の裏面に突設した取付けボス５９ａ，５９ｂに回動自在にビス６０ａ，６０ｂ着される押え片６１ａ，６１ｂが図示されている。この押え片６１ａ，６１ｂは中継基板７０と可変入賞玉装置１９とを接続する配線を集束処理するものである。」（４頁左上欄１８行〜右上欄４行）こと、
（ｃ-3）「また、上記各装置から中継基板に接続される配線を入賞玉集合カバー部材上に設けた配線処理部材によって集束処理できるので、各配線がパチンコ玉の流路を遮る事態を防止でき、かつ遊技盤をパチンコ機本体枠に組付ける際に、各配線が邪魔になることもない。」（５頁右上欄７〜１２行）こと、が図面とともに記載されている。
（ｄ）同じく取消理由で引用した、本件特許の出願前に頒布された刊行物である実願昭５４−１１８５３７号（実開昭５６−３６３８５号）のマイクロフィルム（以下、「引用刊行物４」という）には、パチンコ遊技場においてパチンコ球を流下するために使用可能な球体誘導樋において、樋体１０の内底部には上流側に向け緩やかな斜面１４を有する三角錐状の隆起１５をジグザグ状に多数設けるとともに、樋体１０の底面１１には該隆起１５の下流側垂直面１６に連続するように塵芥排出用の孔１７を設けた球体誘導樋の構成が、図面とともに記載されている。
（ｅ）同じく取消理由で引用した、本件特許の出願前に頒布された刊行物である特開昭５５−８１６７５号公報（以下、「引用刊行物５」という）には、
（ｅ-1）「この発明は玉貯留槽内に貯留されたパチンコ玉の取出しに用いる玉通路に関する。」（１頁左下欄１８〜１９行）こと、
（ｅ-2）「ところで、玉通路を通過する玉の付着ゴミを排除する目的で、通路底板に多数の小孔を穿ち網目構造にするか、或いは底板を切欠して金網等を張設することによってこの部分を通過する間にゴミを排除することができる。」（１頁右下欄１７行〜２頁左上欄１行）こと、が記載されている。
（ｆ）同じく取消理由で引用した、本件特許の出願前に頒布された刊行物である特開平３−７０５８７号公報（以下、「引用刊行物６」という）には、
（ｆ-1）「また、景品玉誘導経路１３３ａ〜１３３ｃの景品玉量感知板１４１ａ，１４１ｂを除く底面には、景品玉の流下を円滑にするために景品玉の直径よりもやや小さい巾の流下溝１３４ａ〜１３４ｃが形成されている。・・・そして、この連結板１３５がない場所は、開口１３６となっており、この開口１３６から景品玉誘導経路１３３ａ〜１３３ｃに侵入したゴミ等の異物が自然落下したり、あるいは景品玉を取出したり、景品玉整列通路部１３０を分解することなく開口１３６に操作ピンを差込んで強制的に落下させたりすることができる。」（１２頁左下欄７行〜右下欄１行）こと、
（ｆ-2）「なお、上記実施例では、開口１３６を流下溝１３４ａ〜１３４ｃのほぼ全長に亘って形成したものを示したが、流下溝１３４ａ〜１３４ｃの一部に形成しても良い。また、景品玉誘導経路１３３ａ〜１３３ｃの底面に流下溝１３４ａ〜１３４ｃを形成せず、単に開口１３６を穿設しただけの構造であってもよい。」（１２頁右下欄６〜１２行）こと、
（ｆ-3）「景品玉整列通路部１３０の底面に開口１３６を形成したので、大多数の異物を該開口１３６から自然に落下させることができ、仮に自然落下しない異物も開口１３６から操作ピンを挿入して強制的に落下させることができるので、景品玉整列通路部１３０に貯留される景品玉を抜出したり、景品玉整列通路部１３０を分解することなくそれらの処理が可能である。」（１４頁右下欄６〜１３行）ことが、図面とともに記載されている。
３-3．対比、判断
３-3-1．本件発明１について
　本件発明１と引用刊行物１記載の発明とを対比すると、引用刊行物１記載の発明の「パチンコ機２」が本件発明１の「弾球遊技機」に対応し、同様に、「島台１」が「設置島台」に、「集合樋６」が「回収樋」に、「アウトタンク４」が「玉タンク装置」に、「タンク本体４ｂ」が「玉タンク部」に、「導出路１２」が「玉整列レール部材」に、「計数メータ５」が「玉計数器」に、「タンク支持部材４ａ」が「取付ベース部」に、「支持脚１０」が「係合部」に、「複数設けた係合孔８（複数設けた中空係合孔８）」が「被係合部」に、「パチンコ機のアウトタンク」が「弾球遊技機の玉タンク装置」にそれぞれ対応する。
　そうすると、本件発明１と引用刊行物１記載の発明とは、
　弾球遊技機から排出された玉を受け入れて計数した後に設置島台内部の回収樋に返却する玉タンク装置において、
　該玉タンク装置は、前記弾球遊技機の玉排出口に臨む玉タンク部と、該玉タンク部から流出する玉を整列しながら流下させる玉整列レール部材と、該玉整列レール部材の下流側に玉計数器が取り付けられる部材と、前記玉タンク部を係合支持し且つ前記設置島台に固着される取付ベース部と、から構成され、
　前記玉タンク部に形成される係合部と前記取付ベース部に形成され且つ前記係合部と係合する被係合部との係合位置を変更可能に構成した弾球遊技機の玉タンク装置の点で一致し、下記（Ａ）及び（Ｂ）の点で構成が相違する。
（Ａ）本件発明１では、玉タンク部の底面にゴム底敷が載置されているのに対し、引用刊行物１記載の発明では、ゴム底敷について記載がない点。
（Ｂ）本件発明１では、玉整列部材の下流側に玉計数器が取り付けられる支持板を具備し、支持板には、玉計数器を着脱自在に取り付けるための係止弾性爪を備えたのに対し、
引用刊行物１記載の発明では、玉整列部材の下流側に玉計数器が取り付けられる部材（支持部材）を具備するものと認められるが、該支持部材が板体、すなわち支持板であるとは認めることができず、玉計数器の取り付けについて具体的な構成が明らかでなく、玉計数器を着脱自在に取り付けるための係止弾性爪を備えていない点。
　そこで、上記相違点について検討する。
　先ず、相違点（Ａ）についてみると、衝撃を受ける面にゴム板等の緩衝部材を載置し、衝撃を和らげるととも騒音を小さくすることは、種々の技術分野において良く知られた技術であり、弾球遊技機の分野においても周知の技術である（例えば、実公昭５３−４０２３１号公報、実願昭４９−７９１７５号〔実開昭５１−１３８７２号〕のマイクロフィルム　参照）。そして、落下する玉の衝撃を和らげると共に騒音を小さくすることを目的として玉タンク部の底面にゴム底敷を載置する程度のことは上記周知の技術から当業者が容易に想到し得ることである。
　次いで、相違点（Ｂ）についてみると、引用刊行物２記載の発明における「パチンコ機Ｐ」、「球受皿２」、「流出樋４」、「球検出器Ｂ」、「基板１」、「球検出器Ｂを横方向へ摺動自在に嵌挿され且つ挟持される上下一対の係止枠９，９とコ字状の切溝１０を周設して形成され且つ球検出器Ｂを装着した際に他側面を圧接係止する止片１２を一体に突設した弾性帯板１１」は、その機能に照らし、本件発明１における「弾球遊技機」、「玉タンク部」、「玉整列レール部材」、「玉計数器」、「支持板」、「玉計数器を着脱自在に取り付けるための係止弾性爪」にそれぞれ対応する。また引用刊行物２記載の「パチンコ機の打込球計数装置」は、パチンコ機、すなわち弾球遊技機から排出された球を受け入れて計数した後回収する装置であるから、本件発明１における「玉タンク装置」及び「弾球遊技機の玉タンク装置」に相当する。したがって引用刊行物２には、「弾球遊技機から排出された玉を受け入れて計数した後設置島台内部に回収する玉タンク装置において、該玉タンク装置は、前記弾球遊技機の玉排出口に臨む玉タンク部と、該玉タンク部から流出する玉を整列しながら流下させる玉整列レール部材と、該玉整列レール部材の下流側に玉計数器が取り付けられる支持板と、前記玉タンク部を支持し且つ前記設置島台に固着される取付部と、から構成され、前記玉計数器を着脱自在に取り付けるための係止弾性爪を備えた弾球遊技機の玉タンク装置」が記載されている。すなわち、引用刊行物２には、「玉整列部材の下流側に玉計数器が取り付けられる支持板を具備し、支持板には、玉計数器を着脱自在に取り付けるための係止弾性爪を備えること」が記載されている。したがって、引用刊行物１記載の弾球遊技機に引用刊行物２記載の上記技術を適用し、相違点（Ｂ）における本件発明１の構成とすることは当業者が容易に想到し得ることである。
　そして、本件発明１が奏する作用、効果は、引用刊行物１及び引用刊行物２の記載、並びに上記周知の技術から容易に予測できるものである。
　したがって、本件発明１は、引用刊行物１及び引用刊行物２記載の発明、並びに上記周知の技術に基づいて当業者が容易に発明をすることができたものである。
３-3-2．本件発明２について
　本件発明２は、本件発明１において、「前記支持板に取り付けられる玉計数器から延びる配線を係止するための配線引き回し部材を前記支持板の前記玉整列レール部材の下方内側であって前記玉計数器と反対側の後方下部に備えた」ことを限定するものである。
　本件発明１と引用刊行物１記載の発明とを対比すると、上記相違点（Ａ）及び（Ｂ）に加え、下記相違点（Ｃ）でも相違している。
（Ｃ）本件発明２では、玉計数器から延びる配線を係止するための配線引き回し部材を支持板の玉整列レール部材の下方内側であって玉計数器と反対側の後方下部に備えたのに対し、引用刊行物１記載の発明では、玉計数器から延びる配線を係止するための配線引き回し部材についての記載はなく、上記本件発明２の構成について記載がない点。
　そこで、上記相違点について検討するに、相違点（Ａ）及び（Ｂ）については、上記「３-3-1．本件発明１について」に記載した理由により、当業者が容易に想到し得たものと認められる。
　次いで、相違点（Ｃ）についてみると、引用刊行物１及び引用刊行物２には玉計数器から延びる配線を係止するための配線引き回し部材を設ける点について一切記載されていない。しかしながら、配線を有るものにおいて配線を整理し該配線が弛んだり、他の部材、器機等と干渉するのを防止するために配線引き回し部材を設けることは種々の技術分野において普通に採用されている慣用の技術であるとともに、本件発明２と同じ技術分野である弾球遊技機の分野においても、配線処理壁５４，５５、配線処理突起５６、回動自在にビス着された押え片６１ａ，６１ｂからなる配線引き回し部材を設け、配線を整理し各配線が弛んだり、他の部材、器機等と干渉するのを防止することが引用刊行物３に記載され、弾球遊技機の分野においても配線引き回し部材を設け配線を処理することは慣用の技術である。そして、このように慣用の技術である配線引き回し部材を、配線整理のために適正な位置に設けることは通常行われている設計事項であるから、支持板に玉計数器から延びる配線を係止するための配線引き回し部材を備えさせるに際し、該配線引き回し部材の配設位置を相違点（Ｃ）における本件発明２のように設けることは、上記慣用の技術に基づいて当業者が容易に想到し得たものと認められる。
　そして、本件発明２が奏する作用、効果は、引用刊行物１及び引用刊行物２の記載、並びに上記周知・慣用技術から予測できるものである。
　したがって、本件発明２は、引用刊行物１及び引用刊行物２記載の発明、並びに上記周知・慣用技術に基づいて当業者が容易に発明をすることができたものである。
　なお、平成１４年６月１１日付け取消理由において、「本件請求項２に係る発明は、上記引用刊行物１又は２記載の発明及び慣用技術に基づいて当業者が容易に発明をすることができたものである。」と記載しているが、本件請求項２に係る発明は請求項１を引用した発明であって、同取消理由の「３-1．本件請求項１に係る発明について」の欄に記載されたように「引用刊行物３」を引用すべきことはその記載から明らかであるから、上記記載は「本件請求項２に係る発明は、上記引用刊行物１ないし３記載の発明及び慣用技術に基づいて当業者が容易に発明をすることができたものである。」の誤記と認められる。
３-3-3．本件発明３について
　本件発明３は、本件発明１又は本件発明２において、「前記玉整列レール部材には、内部に入った塵等を排出するための切欠部が形成されている」ことを限定するものである。
　本件発明３と引用刊行物１記載の発明とを対比すると、上記相違点（Ａ）及び（Ｂ）〔本件発明２を引用の場合はさらに相違点（Ｃ）〕に加え、下記相違点（Ｄ）でも相違している。
（Ｄ）本件発明３では、玉整列レール部材には、内部に入った塵等を排出するための切欠部が形成されているのに対し、引用刊行物１記載の発明では、塵等を排出するための切欠部を備えていない点。
　そこで、上記相違点について検討するに、相違点（Ａ）及び（Ｂ）については、上記「３-3-1．本件発明１について」に記載した理由により、また、相違点（Ｃ）については、上記「３-3-2．本件発明２について」に記載した理由により、当業者が容易に想到し得たものと認められる。
　次いで、相違点（Ｄ）についてみると、玉整列レール部材を含め玉を搬送する搬送部材の底面に、内部に入った塵等を排出するための孔とか切欠部を設けることは従来周知である（例えば、引用刊行物４、５、６　参照。特に、引用刊行物６には、玉整列レール部材の底面等に内部に入った塵等を排出するための孔又は切欠部を設けたものが記載されている。）。したがって、引用刊行物１記載の弾球遊技機に上記周知の技術を適用し、相違点（Ｄ）における本件発明３の構成とすることは当業者が容易に想到し得ることである。
　そして、本件発明３が奏する作用、効果は、引用刊行物１及び引用刊行物２の記載、並びに上記周知の技術から容易に予測できるものである。
　したがって、本件発明３は、引用刊行物１及び引用刊行物２記載の発明、並びに上記周知の技術に基づいて当業者が容易に発明をすることができたものである。
　なお、平成１４年６月１１日付け取消理由において、「本件請求項３に係る発明は、上記引用刊行物１又は２記載の発明及び周知技術に基づいて当業者が容易に発明をすることができたものである。」と記載しているが、本件請求項３に係る発明は請求項１を引用した発明であって、同取消理由の「３-1．本件請求項１に係る発明について」の欄に記載されたように「引用刊行物３」を引用すべきことはその記載から明らかであるから、上記記載は「本件請求項３に係る発明は、上記引用刊行物１ないし３記載の発明及び周知技術に基づいて当業者が容易に発明をすることができたものである。」の誤記と認められる。
３-4．むすび
　以上のとおりであるから、本件発明１、本件発明２及び本件発明３は、特許法第２９条第２項の規定により特許を受けることができない。
　したがって、本件発明１、本件発明２及び本件発明３についての特許は拒絶の査定をしなければならない特許出願に対してされたものと認める。
　よって、特許法等の一部を改正する法律（平成６年法律第１１６号）附則第１４条の規定に基づく、特許法等の一部を改正する法律の施行に伴う経過措置を定める政令（平成７年政令第２０５号）第４条第２項の規定により、結論のとおり決定する。
【異議決定日】
平成１５年３月１３日（２００３．３．１３）
【訂正の要旨】
　▲１▼　訂正事項ａ
　特許明細書における特許請求の範囲に係る記載
「【特許請求の範囲】
　【請求項１】　弾球遊技機から排出された玉を受け入れて計数した後に設置島台内部の回収樋に返却する玉タンク装置において、
　該玉タンク装置は、前記弾球遊技機の玉排出口に臨む玉タンク部と、該玉タンク部から流出する玉を整列しながら流下させる玉整列レール部材と、該玉整列レール部材の下流側に玉計数器が取り付けられる支持板と、前記玉タンク部を係合支持し且つ前記設置島台に固着される取付ベース部と、から構成され、
　前記玉タンク部に形成される係合部と前記取付ベース部に形成され且つ前記係合部と係合する被係合部との係合位置を変更可能に構成する一方、前記支持板には、前記玉計数器を着脱自在に取り付けるための係止弾性爪を備えたことを特徴とする弾球遊技機の玉タンク装置。
　【請求項２】　前記支持板に取り付けられる玉計数器から延びる配線を係止するための配線引き回し部材を備えたことを特徴とする請求項１記載の弾球遊技機の玉タンク装置。
　【請求項３】　前記玉整列レール部材には、内部に入った塵等を排出するための切欠部が形成されていることを特徴とする請求項１又は請求項２に記載の弾球遊技機の玉タンク装置。」
を、特許請求の範囲の減縮及び明瞭でない記載の釈明を目的として、
「【特許請求の範囲】
　【請求項１】　弾球遊技機から排出された玉を受け入れて計数した後に設置島台内部の回収樋に返却する玉タンク装置において、
　該玉タンク装置は、前記弾球遊技機の玉排出口に臨
み且つその底面にゴム底敷が載置される
　前記玉タンク部に形成される係合部と前記取付ベース部に形成され且つ前記係合部と係合する被係合部との係合位置を変更可能に構成する一方、前記支持板には、前記玉計数器を着脱自在に取り付けるための係止弾性爪を備えたことを特徴とする弾球遊技機の玉タンク装置。
　【請求項２】　前記支持板に取り付けられる玉計数器から延びる配線を係止するための配線引き回し部材を
前記支持板の前記玉整列レール部材の下方内側であって前記玉計数器と反対側の後方下部に
　【請求項３】　前記玉整列レール部材には、内部に入った塵等を排出するための切欠部が形成されていることを特徴とする請求項１又は請求項２に記載の弾球遊技機の玉タンク装置。」
と訂正する。
　▲２▼　訂正事項ｂ
　特許明細書における段落【０００４】に係る記載
「　　【０００４】
　【課題を解決するための手段】
　弾球遊技機から排出された玉を受け入れて計数した後に設置島台内部の回収樋に返却する玉タンク装置において、
　該玉タンク装置は、前記弾球遊技機の玉排出口に臨む玉タンク部と、該玉タンク部から流出する玉を整列しながら流下させる玉整列レール部材と、該玉整列レール部材の下流側に玉計数器が取り付けられる支持板と、前記玉タンク部を係合支持し且つ前記設置島台に固着される取付ベース部と、から構成され、
　前記玉タンク部に形成される係合部と前記取付ベース部に形成され且つ前記係合部と係合する被係合部との係合位置を変更可能に構成する一方、前記支持板には、前記玉計数器を着脱自在に取り付けるための係止弾性爪を備えたことを特徴とするものである。」
を、明瞭でない記載の釈明を目的として、
「　　【０００４】
　【課題を解決するための手段】
　弾球遊技機から排出された玉を受け入れて計数した後に設置島台内部の回収樋に返却する玉タンク装置において、
　該玉タンク装置は、前記弾球遊技機の玉排出口に臨
み且つその底面にゴム底敷が載置される
　前記玉タンク部に形成される係合部と前記取付ベース部に形成され且つ前記係合部と係合する被係合部との係合位置を変更可能に構成する一方、前記支持板には、前記玉計数器を着脱自在に取り付けるための係止弾性爪を備えたことを特徴とするものである。」
と訂正する。
　▲３▼　訂正事項ｃ
　特許明細書における段落【０００５】に係る記載
「　　【０００５】
　【作用】
　玉タンク部の係合部と取付ベース部の被係合部との係合位置が変更可能に構成されているので、弾球遊技機の玉排出口に適合した位置に玉タンク部を対応させた後、玉タンク部の係合部を取付ベースの被係合部に係合する。これによって、玉排出口の形成される位置が異なる弾球遊技機における排出玉に対する玉タンク部の最適な排出位置を簡単に得ることができる。また、支持板には、玉計数器を着脱自在に取り付けるための係止弾性爪を備えているので、故障した玉計数器の交換を簡単に行うことができる。」
を、明瞭でない記載の釈明を目的として、
「　　【０００５】
　【作用】
　玉タンク部の係合部と取付ベース部の被係合部との係合位置が変更可能に構成されているので、弾球遊技機の玉排出口に適合した位置に玉タンク部を対応させた後、玉タンク部の係合部を取付ベースの被係合部に係合する。これによって、玉排出口の形成される位置が異なる弾球遊技機における排出玉に対する玉タンク部の最適な排出位置を簡単に得ることができる。また、支持板には、玉計数器を着脱自在に取り付けるための係止弾性爪を備えているので、故障した玉計数器の交換を簡単に行うことができる。
更に、玉タンク部の底面にゴム底敷を載置したので、玉タンク部に落下する玉の衝撃を和らげると共に、騒音を小さくすることができる。
と訂正する。
　▲４▼　訂正事項ｄ
　特許明細書における段落【００３１】に係る記載
「　　【００３１】
　【発明の効果】
　以上、説明したところから明らかなように、本発明においては、弾球遊技機の玉排出口に臨む玉タンク部に形成される係合部と、該玉タンク部を係合支持し且つ前記設置島台に固着される取付ベース部に形成される被係合部と、の係合位置が変更可能に構成されているので、弾球遊技機の玉排出口に適合した位置に玉タンク部を対応させた後、玉タンク部の係合部を取付ベースの被係合部に係合することによって、玉排出口の形成される位置が異なる弾球遊技機における排出玉に対する玉タンク部の最適な排出位置を簡単に得ることができる。また、支持板には、玉計数器を着脱自在に取り付けるための係止弾性爪を備えているので、故障した玉計数器の交換を簡単に行うことができる。」
を、明瞭でない記載の釈明を目的として、
「　　【００３１】
　【発明の効果】
　以上、説明したところから明らかなように、本発明においては、弾球遊技機の玉排出口に臨
み且つその底面にゴム底敷が載置される
更に、玉タンク部の底面にゴム底敷を載置したので、玉タンク部に落下する玉の衝撃を和らげると共に、騒音を小さくすることができる。
と訂正する。
（５４）【発明の名称】
弾球遊技機の玉タンク装置
（５７）【特許請求の範囲】
　【請求項１】　弾球遊技機から排出された玉を受け入れて計数した後に設置島台内部の回収樋に返却する玉タンク装置において、
　該玉タンク装置は、前記弾球遊技機の玉排出口に臨
み且つその底面にゴム底敷が載置される
　前記玉タンク部に形成される係合部と前記取付ベース部に形成され且つ前記係合部と係合する被係合部との係合位置を変更可能に構成する一方、前記支持板には、前記玉計数器を着脱自在に取り付けるための係止弾性爪を備えたことを特徴とする弾球遊技機の玉タンク装置。
　【請求項２】　前記支持板に取り付けられる玉計数器から延びる配線を係止するための配線引き回し部材を
前記支持板の前記玉整列レール部材の下方内側であって前記玉計数器と反対側の後方下部に
　【請求項３】　前記玉整列レール部材には、内部に入った塵等を排出するための切欠部が形成されていることを特徴とする請求項１又は請求項２に記載の弾球遊技機の玉タンク装置。
【発明の詳細な説明】
　【０００１】
　【産業上の利用分野】
　本発明は、弾球遊技機から排出された玉を受け入れて計数した後に設置島台内部の回収樋に返却する玉タンク装置に関するものである。
　【０００２】
　【従来の技術】
　従来、弾球遊技機から排出された玉を受け入れて計数した後に設置島台内部の回収樋に返却する玉タンク装置においては、玉を受け入れる玉タンク部と該玉タンク部を支持する取付ベース部とが一体的に形成され、取付ベース部を弾球遊技機の背面の設置島台にビス等で固着していた。このため、玉タンク部の取付位置を変更しようとする場合には、ビス等を弛めて玉タンク装置全体を一旦取り外し、その後、所望の位置に再度ビス等で取付ベース部を設置島台に固着する必要があった。
　【０００３】
　【発明が解決しようとする課題】
　ところで、弾球遊技機においては、アウト玉やセーフ玉等の排出玉の排出口がそれぞれのメーカーによって異なっているため、設置島台に設置される弾球遊技機が異なるメーカーのものに交換される毎に、玉タンク装置全体の取付位置を変更して排出玉に対する玉タンク部の最適な排出位置を得ていた。このため、弾球遊技機の交換時における作業量が多くなり、煩わしいという問題があった。本発明は、上記した問題点に鑑みなされたもので、その目的とするところは、玉タンク部の取付位置を簡単に変更することができる弾球遊技機の玉タンク装置を提供することにある。
　【０００４】
　【課題を解決するための手段】
　弾球遊技機から排出された玉を受け入れて計数した後に設置島台内部の回収樋に返却する玉タンク装置において、
　該玉タンク装置は、前記弾球遊技機の玉排出口に臨
み且つその底面にゴム底敷が載置される
　前記玉タンク部に形成される係合部と前記取付ベース部に形成され且つ前記係合部と係合する被係合部との係合位置を変更可能に構成する一方、前記支持板には、前記玉計数器を着脱自在に取り付けるための係止弾性爪を備えたことを特徴とするものである。
　【０００５】
　【作用】
　玉タンク部の係合部と取付ベース部の被係合部との係合位置が変更可能に構成されているので、弾球遊技機の玉排出口に適合した位置に玉タンク部を対応させた後、玉タンク部の係合部を取付ベースの被係合部に係合する。これによって、玉排出口の形成される位置が異なる弾球遊技機における排出玉に対する玉タンク部の最適な排出位置を簡単に得ることができる。また、支持板には、玉計数器を着脱自在に取り付けるための係止弾性爪を備えているので、故障した玉計数器の交換を簡単に行うことができる。
更に、玉タンク部の底面にゴム底敷を載置したので、玉タンク部に落下する玉の衝撃を和らげると共に、騒音を小さくすることができる。
　【０００６】
　【実施例】
　以下、図面を参照して、本発明の実施例について説明する。まず、図５を参照して弾球遊技機１０（図示の場合には、パチンコ遊技機）と玉タンク装置４０との関係について説明する。図５は、設置島台１に設置された状態の弾球遊技機１０の背面図である。図５において、弾球遊技機１０は、設置島台１に挟まれるように取り付けられており、その弾球遊技機１０の背面中央に対応する設置島台１上には、本実施例の要部を構成する玉タンク装置４０が設けられている。また、設置島台１には、その上部に図示しない補給分配樋から垂下される蛇腹状の補給管２が設けられると共に、前記玉タンク装置４０から排出される玉を回収する回収樋３が設けられている。前記補給管２は、各弾球遊技機１０の後述する景品玉タンク１７に対応するように設けられ、研磨された景品玉を弾球遊技機１０に補給するものである。また、回収樋３は、設置島台１の内部に傾斜状に設けられるものであり、使用済玉を図示しない研磨揚送装置に送るものである。なお、研磨揚送装置は、回収樋３によって集められた玉を研磨しながら揚送し、その揚送した玉を再度景品玉として使用するために前記補給分配樋に供給するようになっている。
　【０００７】
　ところで、弾球遊技機１０は、前記設置島台１に取り付けられる外枠１１と該外枠１１の前方に開閉自在に取り付けられる前面枠１２とから構成され、該前面枠１２の裏面に遊技盤１３が取付金具３６によって着脱自在に取り付けられると共に、更に遊技盤１３の裏面を覆うように機構板１５が開閉自在に設けられている。遊技盤１３には、周知のように入賞玉を発生させる入賞装置（図示しない）が設けられると共に、入賞しなかったアウト玉を取り込むアウト口１４が形成されている。なお、入賞玉は、後述するように機構板１５に設けられる入賞玉集合樋１６から入賞玉処理装置２３を経て玉タンク装置４０に排出され、アウト玉は、同じく機構板１５に設けられるアウト玉排出通路３０から玉タンク装置４０に排出されるようになっている。
　【０００８】
　そこで、機構板１５の構成について説明すると、機構板１５は、周知のように主として弾球遊技機１０の遊技盤１３に設けられた入賞装置からの入賞玉を処理して、その入賞玉に対応する所定個数の景品玉を排出するための各種の機構が設けられるものである。しかして、機構板１５は、合成樹脂で成型されたほぼ方形板状の機構板本体に各種の機構を組み付けて構成される。具体的には、機構板１５の前面側の下方位置に前記遊技盤１３に設けられる入賞装置に入った入賞玉を集合する入賞玉集合樋１６が傾斜状に形成されている。入賞玉集合樋１６に誘導された入賞玉は、後述する入賞玉処理装置２３に導かれるようになっている。
　【０００９】
　一方、機構板１５の後面側には、設置島台１に設けられる前記補給管２から補給される景品玉を遊技者に払い出すための各種の機構が設けられている。これらの機構について、以下説明すると、機構板１５の上部には、景品玉タンク１７が固定されている。この景品玉タンク１７には、上記した補給管２から多量の景品玉が補給されるようになっている。景品玉タンク１７の下方には、景品玉を整列させるための景品玉誘導レール１８が設けられている。この景品玉誘導レール１８は、景品玉が２列に整列して自然流下するように傾斜して取り付けられる。
　【００１０】
　景品玉誘導レール１８の下流側には、２列の通路を構成すべく区画された屈曲レール１９が接続されるように取り付けられている。この屈曲レール１９は、景品玉誘導レール１８を流下してきた景品玉の流下方向を１８０度転換させると共に、連続して流下している景品玉の玉圧を弱めて次に説明する景品玉払出装置２０に景品玉を供給するためにある。屈曲レール１９の屈曲部には、玉抜装置２１が設けられ、閉店後に操作することにより、景品玉タンク１７及び景品玉誘導レール１８に貯留されていた景品玉を玉抜通路２２に排出して弾球遊技機１０外へ誘導するようになっている。なお、玉抜通路２２は、機構板１５の下方部で機構板１５の中央よりに曲折され、機構板１５のほぼ中央に形成される後述する余剰玉排出通路２７に隣接する位置でアウト玉排出通路３０と共に下方に向かって開放している。そして、その開放面が玉タンク装置４０の玉タンク部４１と対面する合流玉排出口３２とされている。また、下方の曲折部と合流玉排出口３２との間には、入賞玉処理装置２３から排出される入賞玉が合流するようになっている。したがって、合流玉排出口３２からは、入賞玉処理装置２３から排出される入賞玉（図５において矢印ｂで示す）と玉抜装置２１によって玉抜きされた玉抜玉（図５において矢印ｃで示す）とが玉タンク部４１に向かって排出されることになる。
　【００１１】
　屈曲レール１９の下流側には、景品玉払出装置２０が接続されている。景品玉払出装置２０は、所定個数の景品玉を受け入れて、その所定個数の景品玉を入賞玉処理装置２３の動作に連動して払い出すものである。入賞玉処理装置２３は、前記入賞玉集合樋１６によって集合せしめられた入賞玉を１個ずつ処理するもので、その処理毎に景品玉払出装置２０を駆動し、その駆動が終了すると、終了した入賞玉を前記したように玉抜通路２２に放出するものである。
　【００１２】
　景品玉払出装置２０から払出された景品玉は、景品玉排出通路２４に排出される。この景品玉排出通路２４の下端には、上皿誘導口２５が開設され、この上皿誘導口２５が弾球遊技機１０の前面に設けられる上皿（図示しない）に連通している。また、上皿誘導口２５の下部前方には、余剰景品玉排出通路２７と連絡するための連絡樋２６が設けられ、余剰の景品玉を余剰景品玉排出通路２７に誘導するようになっている。余剰景品玉排出通路２７は、その下端が下皿誘導口２８に接続され、余剰の景品玉（図５において矢印ｄで示す）を弾球遊技機１０の前面に設けられる下皿（図示しない）に誘導するようになっている。
　【００１３】
　また、余剰景品玉排出通路２７の一側には、景品玉によって余剰景品玉排出通路２７内が満杯になったときに該景品玉に押圧されて揺動する景品玉充満検知板の動作を検出する満タン検出器２９が設けられている。そして、景品玉充満検知板が揺動されたときに満タン検出器２９がＯＦＦとなり、入賞玉処理装置２３の駆動を停止すると共に、後述する打球発射装置３５の動作も停止させるようになっている。なお、余剰景品玉排出通路２７は、機構板１５のほぼ中央下部に形成されている。
　【００１４】
　また、機構板１５には、前記アウト口１４の後方から下方に向けて延設され、さらに前記余剰景品玉排出通路２７の裏側を通って余剰玉排出通路２７と並列状に形成されるアウト玉排出通路３０が形成されている。しかして、アウト玉排出通路３０の末端のアウト玉排出口３１は、前記合流玉排出口３２と隣接した状態に形成されて玉タンク装置４０の玉タンク部４１に臨むようになっている。
　【００１５】
　このように弾球遊技機１０の機構板１５からは、アウト玉排出口３１からアウト玉が排出され、合流玉排出口３２から入賞玉や玉抜玉が排出され、それぞれ玉タンク装置４０の玉タンク部４１に放出されるが、上記したアウト玉排出口３１と合流玉排出口３２の形成される位置がメーカーの機構板１５毎に異なるため、設置島台１に設置される弾球遊技機１０が異なるメーカーのものに交換されたときには、排出される玉を最適な位置で受け入れるために玉タンク装置４０の玉タンク部４１の位置、特に左右方向の位置を変更する必要がある。このため、本実施例においては、後述するように玉タンク装置４０の玉タンク部４１が左右方向に変更可能に構成されている。
　【００１６】
　ところで、機構板１５には、上記した構成以外に、遊技動作を制御する遊技制御回路が組み込まれた基板が収納されるコントロール基板ボックス３３が機構板１５の裏面に着脱自在に取り付けられ、また、該コントロール基板や機構板１５を含む弾球遊技機１０に設けられる電気的装置に電源を供給するターミナル基板ボックス３４が機構板１５の上部一側に設けられている。また、機構板１５ではないが、前記前面枠１２の裏面下部一側には、打球を発射するための打球発射装置３５が設けられている。
　【００１７】
　次に、本実施例の要部を構成する玉タンク装置４０について図１乃至図４を参照して説明する。図１は、玉タンク装置４０を構成する玉タンク部４１と取付ベース部４２とを分離した状態の正面図であり、図２は、玉タンク装置４０の分解斜視図であり、図３は、玉タンク装置４０の正面図であり、図４は、玉タンク装置４０の平面図である。玉タンク装置４０は、弾球遊技機１０の前記アウト玉排出口３１及び合流玉排出口３２に臨む玉タンク部４１と、該玉タンク部４１を係合支持し且つ前記設置島台１に固着される取付ベース部４２と、から構成されている。
　【００１８】
　そこで、まず玉タンク部４１の構成について主として図２を参照しながら説明する。玉タンク部４１は、上面が開放したボックス状に形成され、そのボックス状の凹部が貯留部４３となっている。貯留部４３の底面には、アウト玉排出口３１及び合流玉排出口３２から落下する玉の衝撃を和らげると共に、騒音を小さくするためにゴム底敷４４が載置されている。このゴム底敷４４は、玉タンク部４１の前面壁の一側に形成される流出開口４５に向かって傾斜している。このため、貯留部４３に受け入れられた玉は、ゴム底敷４４の傾斜によって流出開口４５に誘導され、流出開口４５から後述する整列レール部材５４に誘導されるようになっている。
　【００１９】
　また、玉タンク部４１の後部両側壁には、複数の切欠溝４６が途中まで形成され、その切欠溝４６によって形成される切欠片４７に横方向に複数のスリット溝４７ａが刻設されている。この切欠片４７及びスリット溝４７ａは、メーカーの違いによる弾球遊技機１０の下部構造の差異に対応できるようにするもので、玉タンク部４１の後方上部が弾球遊技機１０の下部と重複する位置関係となるときに必要に応じて切欠片４７又はスリット溝４７ａを切り取り、玉タンク部４１と弾球遊技機１０の下部とが重合しないようにして、弾球遊技機１０及び玉タンク装置４０を所定の位置に設置することができるようになっている。
　【００２０】
　更に、玉タンク部４１の前面壁と後面壁とは、高さが異なるように形成されるが、これは、前記したと同様の理由で、玉タンク部４１の後面壁を弾球遊技機１０の下部構造との関係で前面壁と同じ高さにすると、多くの場合、弾球遊技機１０の下部と重複する可能性が高くなり、常に玉タンク部４１の後面壁部分を加工する必要があるので、初めからこのような加工処理を必要としないように低く形成し、一方、前面壁を余り低くすると貯留部４３に一旦受け入れられた玉がバウンドして前面壁を飛び越えてしまうため、余り低くすることができない。しかして、本実施例においては、このような玉のバウンド等を防止するために、前面壁及び後面壁には、溢れ防止部材４８が取り付けられるようになっている。
　【００２１】
　この溢れ防止部材４８は、平板の上部にすだれ状の突片が多数突設された形状をしており、全体が合成樹脂によって一体成型されたものである。しかして、溢れ防止部材４８には、貫通穴５１ａ，５１ｂが形成され、溢れ防止部材４８の平板部の後面に当接される押え板４９の係合爪５０ａ，５０ｂを貫通穴５１ａ，５１ｂに貫通させ、さらに係合爪５０ａ，５０ｂを前面壁及び後面壁に形成された係合穴５２ａ，５２ｂに差し込んで係合することにより、溢れ防止部材４８を玉タンク部４１の前面壁及び後面壁に止着している。なお、図示の実施例においては、玉タンク部４１の前面壁に形成される係合穴５２ａ，５２ｂが上下２段に形成されており、いずれかの係合穴５２ａ，５２ｂを選択して異なる高さで溢れ防止部材４８を取り付けることができるようになっている。
　【００２２】
　また、玉タンク部４１の底面裏側には、一対の係合支柱５３ａ，５３ｂが下方に向けて突設されている。この係合支柱５３ａ，５３ｂは、取付ベース部４２の後述する係合角穴７２ａ，７２ｂ又は７３ａ，７３ｂ又は７４ａ，７４ｂのいずれかに差し込まれて取付ベース部４２に玉タンク部４１を着脱自在に且つその位置を左右方向に変更できるように支持固定するものである。なお、図示の係合支柱５３ａ，５３ｂは、角筒状に形成されているが、その形状は任意に設計すれば良い。
　【００２３】
　上記した玉タンク部４１の前面側方には、前記流出開口４５から流出する玉を整列しながら下方に流下させる整列レール部材５４が取り付けられている。具体的には、玉タンク部４１の一側側面及び前面に突設された係止部５５に整列レール部材５４に形成された被係止部５６を係合させ、且つ後述する支持板５８を介してビス６８、６９で螺着することにより、整列レール部材５４を玉タンク部４１に止着している。また、整列レール部材５４は、図４に示すように、段差状に形成され、上段は、下流側に向かって徐々に狭くなり、下段は、玉１個が整列して流下する巾となっている。そして、整列レール部材５４の下段には、内部に入ったゴミや塵等を排出するための切欠部５７が形成されている。更に、整列レール部材５４の下流側は、下方に向けて曲折され、その流下端には、玉計数器５９が設けられている。この玉計数器５９を取り付けるために前記玉タンク部４１の前面壁の下部には、ビス６８で支持板５８が止着されている。
　【００２４】
　支持板５８は、ビス６８で玉タンク部４１の前面壁に止着されていると共に、ビス６９で整列レール部材５４の下流部とも止着されている。しかして、支持板５８に装着される玉計数器５９は、その前方部に整列レール部材５４の流下端から流出する玉を通過させる玉通過筒６０を有するボックス状に形成され、そのボックスの内部には、玉通過筒６０に臨み通過する玉と係合する凹部が複数個（例えば、１０個）形成されたスプロケットを有し、そのスプロケットが１回転したときに信号を発する検出器を内蔵している。そして、その検出器に接続される配線６１がボックスの外に引き出され、後述する配線引き回し部材６７に係止されるようになっている。
　【００２５】
　また、玉計数器５９の支持板５８に対する装着は、支持板５８の上下に突設される取付支持片６２に挟持されるように玉計数器５９を後方から差し込み、玉計数器５９の前端が支持板５８の一側端部に突設された規制突片６３に当接するまで差し込む。そして、差し込んだ状態で玉計数器５９の後端が係止弾性爪６４に係止されるので、玉計数器５９が支持板５８の所定の位置に装着されたことになる。なお、故障等により玉計数器５９を交換する際には、係止弾性爪６４を片方の手で押し広げ、他方の手で玉計数器５９を後方に向けて引き抜くことにより簡単に取り外すことができる。
　【００２６】
　上記のようにして支持板５８に玉計数器５９に装着した状態において、玉計数器５９から引き出される配線６１は、支持板５８の後方下部に設けられる配線引き回し部材６７に係止されるようになっている。これにより配線６１が整理されて配線６１が他の部材に引っかかって断線する等の事故を防止している。また、玉計数器５９が装着された状態で玉通過筒６０の下端は、支持板５８に形成される蛇腹挟持片６５によって挟持されている蛇腹状の排出管６６に連通するようになっている。この排出管６６は、通過する玉の勢いを弱めながら前記回収樋３に玉を放出するようになっている。
　【００２７】
　全体として上記のように構成される玉タンク部４１が取付支持される取付ベース部４２は、正面から見た場合に、袴状に形成され、その左右に形成される取付裾部７０ａ，７０ｂが設置島台１に載置されて取付裾部７０ａ，７０ｂに形成された止着穴７１（図４参照）に図示しないビスを螺着することにより、取付ベース部４２を設置島台１上に固着している。また、取付ベース部４２の上部には、前記係合支柱５３ａ，５３ｂが嵌入される複数の係合角穴７２ａ，７２ｂ、７３ａ，７３ｂ、７４ａ，７４ｂが一列状に形成されている。図示の場合、対となる係合角穴７２ａと７２ｂ、７３ａと７３ｂ、７４ａと７４ｂとは、当然のことながら前記係合支柱５３ａ，５３ｂの間隔と同じ間隔となっている。
　【００２８】
　上記のように構成される取付ベース部４２は、弾球遊技機１０のほぼ中央部後方の設置島台１上に取付裾部７０ａ，７０ｂの止着穴７１にビスを螺着することにより固着される。そして、そのように固着された取付ベース部４２に対して、弾球遊技機１０の機構板１５から排出される玉の最適位置、即ち、アウト玉排出口３１及び合流玉排出口３２に対する最適位置となるように玉タンク部４１の係合支柱５３ａ，５３ｂをいずれかの係合角穴７２ａ，７２ｂ、７３ａ，７３ｂ、７４ａ，７４ｂに嵌入すれば良い。例えば、最適位置が最も左であるときには、係合支柱５３ａ，５３ｂを係合角穴７２ａ，７２ｂに嵌入し、最適位置が最も右であるときには、係合支柱５３ａ，５３ｂを係合角穴７４ａ，７４ｂに嵌入し、最適位置がその中間であれば、係合支柱５３ａ，５３ｂを係合角穴７３ａ，７３ｂに嵌入すればよい。
　【００２９】
　このように、本実施例においては、玉タンク部４１の係合部としての係合支柱５３ａ，５３ｂと取付ベース部４２の被係合部としての係合角穴７２ａ，７２ｂ、７３ａ，７３ｂ、７４ａ，７４ｂとの係合位置が変更可能に構成されているので、弾球遊技機１０の玉排出口３１、３２に適合した位置に玉タンク部４１を対応させた後、玉タンク部４１の係合支柱５３ａ，５３ｂを取付ベース４２の係合角穴７２ａ，７２ｂ、又は７３ａ，７３ｂ、又は７４ａ，７４ｂに係合することによって、玉排出口３１、３２の形成される位置が異なる弾球遊技機１０における排出玉に対する玉タンク部４１の最適な排出位置を簡単に得ることができる。したがって、設置島台１に設置される弾球遊技機１０が異なるメーカーのものが交換設置されても、常に玉タンク部４１を排出玉に対する最適な排出位置に簡単に変更することができる。
　【００３０】
　なお、上記した実施例においては、係合角穴７２ａ，７２ｂ、７３ａ，７３ｂ、７４ａ，７４ｂを一列状に形成して玉タンク部４１を左右方向に変更できるものを示したが、係合角穴を複数列に形成して玉タンク部４１を弾球遊技機１０に対して前後方向にも変更できるようにしても良い。また、玉タンク部４１に形成される係合部と取付ベース部４２に形成される被係合部の構造及び形状も実施例のように支柱と穴とに限らず、それらの取付支持が堅固に行われる構造であれば、どのような構造のものであっても良い。更に、上記した実施例では、係合部としての係合支柱５３ａ，５３ｂを一対とし、被係合部としての係合角穴７２ａ，７２ｂ、７３ａ，７３ｂ、７４ａ，７４ｂを３対設けたものを示したが、係合部を複数（複数対でもよい）とし、被係合部を単数（単対でもよい）又は複数（複数対でもよい）設けたものでも良い。
　【００３１】
　【発明の効果】
　以上、説明したところから明らかなように、本発明においては、弾球遊技機の玉排出口に臨
み且つその底面にゴム底敷が載置される
更に、玉タンク部の底面にゴム底敷を載置したので、玉タンク部に落下する玉の衝撃を和らげると共に、騒音を小さくすることができる。
【図面の簡単な説明】
　【図１】
　実施例に係る玉タンク装置を構成する玉タンク部と取付ベース部とを分離した状態の正面図である。
　【図２】
　玉タンク装置の分解斜視図である。
　【図３】
　玉タンク装置の正面図である。
　【図４】
　玉タンク装置の平面図である。
　【図５】
　玉タンク装置と弾球遊技機との関係を示す背面図である。
　【符号の説明】
　　１　設置島台
　１０　弾球遊技機
　３１　アウト玉排出口
　３２　合流玉排出口
　４０　玉タンク装置
　４１　玉タンク部
　４２　取付ベース部
　５３ａ，５３ｂ　係合支柱（係合部）
　５９　玉計数器
　７２ａ，７２ｂ　係合角穴（被係合部）
　７３ａ，７３ｂ　係合角穴（被係合部）
　７４ａ，７４ｂ　係合角穴（被係合部）